(57)【要約】【課題】簡単な構成であって、環境温度によっては無駄になる露光タイミングの遅れをなくすことができる一眼レフレックスカメラを提供する。【解決手段】本一眼レフレックスカメラは、撮影レンズにより取り込まれた被写体光束を電気信号に変換するＣＣＤ２２１と、上記被写体光束をファインダユニット４に反射するミラーダウン位置と上記被写体光束の光路から退避するミラーアップ位置とに移動可能なメインミラー１３と、メインミラー１３をミラーアップ位置に静止させる緩衝材３４と、緩衝材３４の近傍の温度を測定する測温センサ２１７と、ＣＣＤ２２１に被写体光束を露光させるシャッタユニット１５と、測温センサ２１７の測温出力に応じてシャッタユニット１５の露光開始を制御するボディＣＰＵ２２９とを具備する。【選択図】図１
2009276623.tif 000002
【特許請求の範囲】
【請求項１】
被写体光束を電気信号に変換する撮像素子と、
上記被写体光束を観察光学系に反射する第１の位置と上記被写体光束の光路から退避する第２の位置とに移動可能な可動反射ミラーと、
上記可動反射ミラーを第２の位置にて静止させる緩衝部材と、
上記緩衝部材近傍の温度を測定する測温手段と、
上記撮像素子に被写体光束を露光させる露光手段と、
上記測温手段の測温出力に応じて上記露光手段の露光開始を制御する制御手段と、
を具備することを特徴とした一眼レフレックスカメラ。
【請求項２】
上記制御手段は、上記測温手段が常温より低い温度を検出すると露光手段の露光開始時間を常温時における露光手段の露光開始時間より遅延させることを特徴とする請求項１に記載の一眼レフレックスカメラ。
【請求項３】
観察光学系へと被写体光束を反射する第１の位置と、前記被写体光束から退避した第２の位置とに移動可能な反射ミラー面を有するメインミラーと、
上記メインミラーの移動に連動して、上記メインミラーが上記第１の位置にある場合には上記メインミラーから離反した位置に、そして、上記メインミラー部が上記第２の位置にある場合には上記メインミラーとともに上記被写体光束から退避した位置に位置する反射ミラ一面を有するサブミラーと、
上記メインミラ一部が上記第１の位置から上記第２の位置へと移動したときに上記サブミラ一部とメインミラ一部との間に挟まれる緩衝部材と、
上記緩衝部材近傍の温度を測定する測温手段と、
上記測温手段の結果に応じて露光手段の露光開始を制御する制御手段と、
を有することを特徴とした一眼レフレックスカメラのミラー装置。
【請求項４】
上記サブミラーは、合焦用測距に用いるためのミラーであることを特徴とする請求項３に記載の一眼レフレックスカメラのミラー装置。
【発明の詳細な説明】
【技術分野】
【０００１】
本発明は、一眼レフレックスカメラ、または、ミラー装置における露光開始時間の制御に関する。
【背景技術】
【０００２】
従来の一眼レフレックスカメラにおいては、撮影を行うに先だって、被写体光束をメインミラーによりファインダユニットのスクリーンに反射し、被写体像の観察を行うように構成されている。被写体像の観察後、上記メインミラーを急速に被写体光束の光路から退避した退避位置に回動させ、上記撮影が可能な状態にする。そのとき、上記メインミラーが上記退避位置にて衝撃をうけることからバウンドが発生する。そのバウンド現象が収まった後、シャッタ開とし、露光、すなわち、撮影が開始される。従って、上記バウンドによる撮影タイミングの遅れが生じることが避けられない。
【０００３】
そこで、特許文献１に開示された一眼レフレックスカメラは、メインミラー枠の上昇時におけるサブミラー枠の反動や漏光を防止し、露光までのタイムラグを短くすることが可能なカメラに関するものであり、サブミラー枠に、上記メインミラー枠の揺動に伴ってミラーボックスのガイドピンと摺接し、上記サブミラーを上昇位置から下降位置に変位させる突起部を設け、上記サブミラー枠の突起部に軸着されたバネ部材で付勢された揺動レバーによりガイドピンを扶持して上記サブミラー枠のバウンドを防止する。さらに、上記ミラーボックスには、上記メインミラー枠が上昇位置に変位したときの衝撃を緩和するための緩衝材が配されている。
【特許文献１】特開平１１−３０５３３３号公報
【発明の開示】
【発明が解決しようとする課題】
【０００４】
特許文献１に開示された一眼レフレックスカメラでは、上記ミラーボックスに配された緩衝材とメインミラー枠が当接したときのバウンドは避けられない。特に上記カメラが比較的低温度の環境にある状態では、上記緩衝材による衝撃力の緩衝性が低下する。従って、上記低温度の環境状態における撮影性能を保証するためには、常温状態での撮影時にあっても上記低温状態における長い時間のバウンドを想定し、その時間を遅らせて露光を開始する必要がある。
【０００５】
本発明は、上記問題点に鑑みてなされたものであり、簡易な構成であって、撮影を保証する範囲の環境温度において無駄になるシャッタタイミングの遅れをなくすことができる一眼レフレックスカメラ、または、一眼レフレックスカメラのミラー装置を提供することを目的とする。
【課題を解決するための手段】
【０００６】
本発明の請求項１記載の一眼レフレックスカメラは、被写体光束を電気信号に変換する撮像素子と、上記被写体光束を観察光学系に反射する第１の位置と上記被写体光束の光路から退避する第２の位置とに移動可能な可動反射ミラーと、上記可動反射ミラーを第２の位置にて静止させる緩衝部材と、上記緩衝部材近傍の温度を測定する測温手段と、上記撮像素子に被写体光束を露光させる露光手段と、上記測温手段の測温出力に応じて上記露光手段の露光開始を制御する制御手段とを具備する。
【０００７】
本発明の請求項２に記載の一眼レフレックスカメラは、請求項１に記載の一眼レフレックスカメラにおいて、上記制御手段は、上記測温手段が常温より低い温度を検出すると露光手段の露光開始時間を常温時における露光手段の露光開始時間より遅延させる。
【０００８】
本発明の請求項３に記載の一眼レフレックスカメラのミラー装置は、観察光学系へと被写体光束を反射する第１の位置と、前記被写体光束から退避した第２の位置とに移動可能な反射ミラー面を有するメインミラーと、上記メインミラ一部の移動に連動して、上記メインミラーが上記第１の位置にある場合には上記メインミラーから離反した位置に、そして、上記メインミラーが上記第２の位置にある場合には上記メインミラー部とともに上記被写体光束から退避した位置に位置する反射ミラ一面を有するサブミラーと、上記メインミラ一部が上記第１の位置から上記第２の位置へと移動したときに上記サブミラ一とメインミラ一との間に挟まれる緩衝部材と、上記緩衝部材近傍の温度を測定する測温手段と、上記測温手段の結果に応じて露光手段の露光開始を制御する制御手段とを有する。
【０００９】
本発明の請求項４に記載の一眼レフレックスカメラのミラー装置は、請求項３に記載の一眼レフレックスカメラのミラー装置において、上記サブミラーは、合焦用測距に用いるためのミラーである。
【発明の効果】
【００１０】
本発明によれば、簡単な構成であって、環境温度によっては無駄になる露光タイミングの遅れをできるだけなくした一眼レフレックスカメラ、または、一眼レフレックスカメラのミラー装置を提供することができる。
【発明を実施するための最良の形態】
【００１１】
以下、図を用いて本発明の実施形態について説明する。
【００１２】
図１は、本発明の一実施形態に係る一眼レフレックスデジタルカメラ（以下、一眼レフカメラと記載する）の主要構成部材を示すブロック構成図である。
【００１３】
本実施形態の一眼レフカメラは、カメラ本体２０と、カメラ本体２０の前面のボディマウント１１（図２）の開口部に着脱可能に装着されるレンズ鏡筒１０とからなる。
【００１４】
レンズ鏡筒１０には、被写体光束をカメラ本体２０内に導くための撮影レンズ１０１ａ、１０１ｂと、焦点調節および焦点距離調節用のレンズ１０１ａ、１０１ｂと、開口量を調節するための絞り１０３が内蔵されている。撮影レンズ１０１ａ，１０１ｂは光学系駆動機構１０７によって進退駆動され、絞り１０３は、紋り駆動機構１０９によって駆動される。光学系駆動機構１０７、絞り駆動機構１０９は、それぞれレンズＣＰＵ１１１に接続されており、レンズＣＰＵ１１１は、光学系駆動機構１０７を制御してピント合わせや、ズーム駆動を行うとともに、絞り駆動機構１０９を制御して絞り値制御を行う。なお、レンズ鏡筒１０とカメラ本体２０とは装着状態で通信接点３００を介して電気的に接続され、カメラ本体２０に設けた着脱検知スイッチ２５９によってその着脱状態が検出される。また、レンズＣＰＵ１１１は、通信接点３００を介してカメラ本体２０に接続される。
【００１５】
カメラ本体２０には、ミラーボックス内のミラー装置２と、露光手段であるシャッタユニット１５と、撮像ユニット３と、観察光学系であるファインダユニット４と、測距ユニット５と、ストロボユニット７と、液晶モニタ２６とを備え、さらに、撮像ユニット３、ミラー装置２、測距ユニット５、シャッタユニット１５、レンズ鏡筒１０等の動作を制御するための各電気制御要素が配されている。
【００１６】
ミラー装置２、撮像ユニット３、ファインダユニット４、測距ユニット５、ストロボユニット７、液晶モニタ２６の構成、配置の詳細については、後で図２〜５に用いて説明するとして、まず、上記電気制御要素について説明する。
【００１７】
上記電気制御要素のうち、撮像ユニット３を構成する撮像素子のＣＣＤ２１は、撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。なお、上記光電アナログ信号は、撮影レンズ１０１ａ，１０１ｂを透過してカメラ本体２０側に入射した被写体光束が撮像ユニット３のＣＣＤ２１に受光面（光電変換面）上に結像し、ＣＣＤ２１より出力される撮像信号である。
【００１８】
撮像素子駆動回路２２３は、ＡＳＩＣ（Application Specific Integrated Circuit、特定用途向け集積回路）２６２内の画像処理回路２２７に接続され、この画像処理回路２２７によってデジタル画像データのデジタル的増幅（デジタルゲイン調整処理）、色補正、ガンマ補正、コントラスト補正、白黒・カラーモード処理、スルー画像処理といった各種の画像処理がなされる。画像処理回路２２７は、データバス２６１に接続されている。
【００１９】
データバス２６１には、画像処理回路２２７の他、後述するシーケンスコントローラ（以下、ボディＣＰＵと記載する）２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２０】
データバス２６１に接続されているボディＣＰＵ２２９は、例えば、ＣＣＤ２１の露光をはじめ、本カメラのすべての制御を司る制御手段である。
【００２１】
データバス２６１に接続されている圧縮伸張回路２３１は、ＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して液晶モニタ２６に接続される。
【００２２】
ビデオ信号出力回路２３３は、ＳＤＲＡＭ２３８、または記録媒体２４５に記憶された画像データを、カメラ本体２０の背面に配置される液晶モニタ２６に表示するためのビデオ信号に変換するための回路である。
【００２３】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００２４】
入出力回路２３９は、防塵フィルタ駆動回路２１１、シャッタ駆動機構２１３、ミラー駆動機構２１５、測距処理回路２１９、撮像素子駆動回路２２３、測温回路２１６に接続され、データバス２６１を介してボディＣＰＵ２２９等の各回路とデータの入出力を制御する。
【００２５】
通信回路２４１は、レンズＣＰＵ１１１と通信接点３００を介して接続され、データバス２６１に接続され、ボディＣＰＵ２２９等とのデータのやりとりや制御命令の通信を行う。
【００２６】
記録媒体制御回路２４３は、データバス２６１に接続されており、記録媒体制御記録２４３は、記録媒体２４５に接続され、記録媒体２４５への画像データ等の記録の制御を行う。なお、記録媒体２４５は、ＸＤピクチャーカード（登録商標）、コンパクトフラッシュ（登録商標）、ＳＤメモリカード（登録商標）またはメモリスティック（登録商標）等の書換え可能な記録媒体のいずれかが装填可能となるように構成され、カメラ本体２０に対して着脱自在となっている。
【００２７】
フラッシュメモリ制御回路２４７は、データバス２６１を介してフラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２８】
カメラ本体２０やレンズ鏡筒１０のパワー供給の制御を行うためのパワースイッチレバーに連動してオン・オフするパワースイッチ２５７と、シャッタレリーズ釦に連動するスイッチ、再生モードを指示する再生釦に連動するスイッチ、液晶モニタ２６の画面でカーソルの動きを指示する十字釦に連動するスイッチ、撮影モードを指示するモードダイヤルに連動するスイッチ、選択された各モード等を決定するＯＫ釦に連動するＯＫスイッチ、着脱検知スイッチ２５９等の各種スイッチ２５５は、スイッチ検出回路２５３を介してデータバス２６１に接続されている。
【００２９】
なお、上記レリーズ釦に連動するスイッチは、撮影者が該レリーズ釦を半押しするとオンする第１レリーズスイッチと、該レリーズ釦を全押しするとオンする第２レリーズスイッチとからなり、この第１レリーズスイッチ（以下、１Ｒと記載する）のオンによりカメラは焦点検出、撮影レンズのピントあわせ、被写体輝度の測光等の撮影準備動作を行い、第２レリーズスイッチ（以下、２Ｒと記載する）のオンにより撮像素子としてのＣＣＤ２２１の出力に基づいて被写体像の画像データの取り込みを行う撮影動作が実行される。
【００３０】
ここで、本実施形態の一眼レフカメラのカメラ本体２０に内蔵されるミラー装置２、ファインダユニット４、撮像ユニット３、測距ユニット５、表示ユニットを構成する液晶モニタ２６およびストロボユニット７等の構成、および、配置について、図２〜５を用いて説明する。
【００３１】
図２は、本実施形態の一眼レフレックスカメラのカメラ本体２０の構成を示す縦断面図である。図３は、ミラーダウン位置（進入位置）状態におけるミラー装置を側方から見た図である。図４は、ミラーアップ位置（退避位置）状態におけるミラー装置を側方から見た図である。図５は、ミラーダウン位置にあるミラー装置を下方側から見た斜視図である。
【００３２】
なお、以下の説明において、光路とは、撮影レンズ１０１ａ，１０１ｂがボディマウント１１に装着されたときの、該撮影レンズを介して入射される被写体光束の光路を指し、例外がある場合にはその旨を明記することにする。
【００３３】
また、図２に示すように、撮影レンズ１０１ａ，１０１ｂの光軸Ｏと平行な方向（カメラ本体２０の厚み方向）をＺ方向とし、Ｚ方向にてカメラ本体２０の被写体側を前側（前面側）とし、結像者側を後側（背面側）とする。また、Ｚ方向に直交する方向であって、カメラ本体２０の左右方向をＸ方向とし、Ｘ方向と直交する上下方向をＹ方向とする。さらに、Ｘ方向の左右方向はカメラ本体２０を背面側から見た方向で示し、図２の紙面に正対して手前側が左側となる。
【００３４】
カメラ本体２０のミラー装置２の前方には、ボディマウント１１が設けられている。このボディマウント１１にてレンズ鏡筒１０をカメラ本体２０に交換可能に着脱することができる。
【００３５】
このボディマウント１１の光路上後方にはミラーボックス１２が配設されており、ミラーボックス１２内に、ミラー装置２が配設されている。ミラー装置２は、被写体光束の光路上に進入退避可能に配された可動反射ミラーであるメインミラー１３とサブミラー１４とを具備している。
【００３６】
また、ミラーボックス１２の内壁面であって、退避位置であるミラーアップ位置（後述）にあるメインミラー１３の片側方に測温手段である測温センサ２１７が配されている。この測温センサ２１７によるミラーボックス１２内の雰囲気温度を測定した環境温度検出信号は、後述するように測温回路２１６に出力され、ボディＣＰＵ２２９に取り込まれ、同じく後述するように検出された環境温度によって所定の時間経過にはメインミラー１３の退避後の安定、すなわち、ミラーバウンドの収束を仮定し、シャッタ駆動機構のシャッタ開動作の開始時間の制御に用いられる。
【００３７】
メインミラー１３は、反射ミラー面を有し、ミラーボックス１２内においてメインミラー回動軸４１ａ周りに回動可能に配設された枠状のメインミラー保持枠４１によって支持されている。このメインミラー保持枠４１の背面側には、サブミラー１４を保持するサブミラー保持枠６１がサブミラー回動軸６１ａ周りに回動可能に支持されている。メインミラー回動軸４１ａとサブミラー回動軸６１ａとは互いに平行であり、それぞれ撮影レンズ１０１ａ，１０１ｂの光軸Ｏと直交する面に沿った軸である。
【００３８】
メインミラー１３は、反射ミラー面の一部に半透過部が形成され、かつ、メインミラー保持枠４１には貫通孔である開口部４２が形成されており、メインミラー１３の上記半透過部を透過する光束は、メインミラー保持枠４１の背面側へ透過するようになっている。サブミラー１４は、このメインミラー１３の上記半透過部を透過する光束の光軸上に配設される。
【００３９】
メインミラー１３は、アクチュエータやカム、バネ機構からなるメインミラー駆動機構２１５（図１）の駆動力によって、図２に示すような被写体光束の光路上に進入したファインダ観察可能な状態である第１の位置のミラーダウン位置と、図３に示すような被写体光束の光路上から退避した撮影可能な状態である第２の位置のミラーアップ位置との二位置のいずれかに回動し、位置決めされる。
【００４０】
なお、メインミラー１３が上記ミラーダウン位置とミラーアップ位置に移動した状態では、図示しない駆動レバーおよび付勢バネの付勢力でメインミラー保持枠４１が押圧され、それぞれのストッパ、詳しくは、後述するミラーボックス１２のストッパ３３、または、緩衝材３４に当接して停止している。
【００４１】
また、サブミラー１４は、反射ミラー面を有し、図示しないカム、バネ機構等によりメインミラー１３の移動に連動してサブミラー回動軸６１ａ周りに回動する。
【００４２】
メインミラー１３がミラーダウン位置である状態では被写体光束は、観察光学系であるファインダユニット４のフォーカシングスクリーン１７に向け、ファインダ光軸Ｏｆに沿って上方側に反射される。さらに、サブミラー１４は、メインミラー１３がミラーダウン位置にあるとき、その背面側にてメインミラー１３の半透過部を透過した光束を測距光軸Ｏｓ方向に沿って測距ユニット５側へ反射する位置に位置決めされる。
【００４３】
また、メインミラー１３がミラーアップ位置に移動した状態ではサブミラー１４は、メインミラー１３側に折りたたまれ、メインミラー１３とともに被写体光束の光路上から退避した位置に位置決めされる。
【００４４】
ファインダユニット４は、撮影レンズに対して撮像素子２２１の受光面と光学的に等価な位置に配設されるフォーカシングスクリーン１７と、ペンタプリズム１８と、接眼光学系１９とを備えている。ミラーダウン位置にあるメインミラー１３で反射された被写体光束は、フォーカシングスクリーン１７上に被写体像として結像し、ペンタプリズム１８によって上記結像された被写体像を正立正像に変換され、接眼光学系１９によってペンタプリズム１８からの光学像が拡大され、観察者の眼に導かれる。
【００４５】
メインミラー１３およびサブミラー１４がミラーダウン位置にある状態でサブミラー１４により反射された測距光軸Ｏｓ上の被写体光束の光路には、前述したように測距ユニット５が配設されている。この測距ユニット５は、コンデンサレンズ２１と、第１ミラー２２と、第２ミラー２３と、セパレータレンズ２４と、合焦用測距センサである測距センサ２５とを備え、いわゆる、ＴＴＬ位相差ＡＦのための測距を行う。
【００４６】
被写体光束の光路上のメインミラー１３後方には、シャッタ駆動機構２１３（図１）によって駆動される露光手段であって、被写体光束の通過時間を制御するためのシャッタユニット１５と、該シャッタユニットの後方側に撮像ユニット３が配設されている。
【００４７】
撮像ユニット３は、防塵フィルタ２０５と、撮像受光面保護ガラス２１０と、ローパスフィルタ２０９と、その後方に配されるＣＣＤ２２１とからなる。防塵フィルタ２０５は、防塵フィルタ駆動回路２１１により駆動される。
【００４８】
撮像ユニット３のさらに後方側となるカメラ本体２０の背面側には、カラー液晶表示素子等を含んで構成される液晶モニタ２６が配設されている。
【００４９】
また、ペンタプリズム１８の上方には、被写体に照明光を照射するためのストロボユニット７が使用時にポップアップし、非使用時にカメラ本体２０内に収納可能な状態で配されている。
【００５０】
次に、図２〜図４を参照して、ミラー装置２のさらなる詳細な構成について説明する。
【００５１】
図４に示すように、メインミラー１３はメインミラー保持枠４１に保持されて、メインミラー部を構成している。また、サブミラー１４は、サブミラー保持枠６１に保持されてサブミラー部を構成している。
【００５２】
メインミラー保持枠４１は、メインミラー回動軸４１ａ上に突設された一対の回動軸部４３を有し、該一対の回転軸部４３がミラーボックス１２の左右壁面に設けられた一対の軸受部により回動可能に支持される。
【００５３】
また、メインミラー保持枠４１は、サブミラー回動軸６１ａ上に突設された一対の支持軸部４６を有し、該支持軸部４６には、サブミラー保持枠６１に設けられた軸受孔部６２が嵌合される。これにより、サブミラー保持枠６１は、メインミラー保持枠４１の背面側において、支持軸部４６周り、すなわち、サブミラー回動軸６１ａ周りに回動可能に支持される。
【００５４】
また、前述のように、メインミラー保持枠４１には、例えば、八角形の形状をなす貫通孔である開口部４２が設けられている。また、メインミラー１３は少なくとも一部がハーフミラーとして構成されている。
【００５５】
また、ミラーボックス１２の右側壁面部１２Ｒ上には、図２及び図３に示すように、ミラーダウン位置におけるメインミラー保持枠４１の下降下端側の位置決めを行うためのメインミラー保持枠用ストッパ３３と、ミラーダウン位置におけるサブミラー保持枠６１の下降下端側の位置決めを行うためのサブミラー保持枠用ストッパ３４とが突設されている。
【００５６】
ミラーアップ位置におけるメインミラー保持枠４１の回動先端側の上側の両側凹部４１ｂと、ミラーボックス１２とが当接する箇所には、衝撃吸収性に優れた低反発樹脂やウレタン発泡材等で構成された弾性体からなる一対の緩衝部材である緩衝材３４が配設されている。緩衝材３４には、例えば、ソルボセイン（登録商標）等のウレタンゴムが適用され得る。
【００５７】
また、本実施形態では、サブミラー保持枠６１のサブミラー回動軸６１ａから離間した左右端部には、サブミラー保持枠６１がミラーアップ位置におけるメインミラー保持枠４１側に折りたたまれた状態において、メインミラー保持枠４１に当接する箇所である一対の当接部６３が形成されている。
【００５８】
そして、該当接部６３のメインミラー保持枠４１に当接する表面部には、三角形状の断面を有する突条部が複数形成されている。言い換えれば、当接部６３のメインミラー保持枠４１に当接する表面部には、メインミラー保持枠４１側に突出する稜線を有した少なくとも一つの凸部が形成されている。なお、当接部６３の表面には、非粘着性を高めるためのフッ素樹脂等のコーティングを行ってもよい。
【００５９】
一方、ミラーアップ位置におけるメインミラー保持枠４１の、上記サブミラー保持枠６１の当接部６３が当接する両側箇所には、衝撃吸収性に優れた低反発樹脂やウレタン発泡材等で構成された弾性体からなる一対の緩衝部材である緩衝材４４が接着により固着されている。緩衝材４４には、例えば、ソルボセイン（登録商標）等が適用され得る。
【００６０】
メインミラー１３及びメインミラー保持枠４１を有するメインミラー部がミラーアップ位置に位置決めされた状態では、サブミラー１４及びサブミラー保持枠６１を有するサブミラー部と上記メインミラー部とは、折りたたまれた状態となり、緩衝材４４を押圧した状態で当接する。同時にメインミラー保持枠４１は、その両側凹部４１ｂがミラーボックス１２側の緩衝材３４に当接して位置決めされる。
【００６１】
従って、ミラーアップ動作時、サブミラー保持枠６１がメインミラー保持枠４１に当接する際の衝撃は、緩衝材４４により緩和され、サブミラー保持枠６１のバウンドが抑制される。同時にメインミラー保持枠４１も緩衝材３４に当接することよってそのバウンドが抑制される。
【００６２】
すなわち、サブミラー保持枠６１に保持されるサブミラー１４、および、メインミラー保持枠４１に保持されるメインミラー１３のバウンドが抑制され、撮影時におけるミラーアップ動作の待ち時間を短縮することが可能であり、撮影者がレリーズボタンを操作してからシャッタが動作を開始するまでの時間、いわゆる、レリーズタイムラグを短縮することができる。
【００６３】
また、本実施形態では、サブミラー保持枠６１の上記緩衝材４４に当接する当接部６３の表面部には、稜線が形成された凸部が形成されている。すなわち、ミラーアップ時において、緩衝材４４には凸部の稜線が接触するため、緩衝材４４と当接部６３との接触面積が小さくなり、当接部６３が柔軟な部材で構成された緩衝材４４に張り付いてしまうことがない。
【００６４】
さらに、上述したように本実施形態においては、ミラーボックス１２内、すなわち、緩衝材３４および４４近傍の環境温度Ｃが測温センサ２１７によって検出されている。そして、該環境温度Ｃによってメインミラー１３およびサブミラー１４がミラーアップ位置に退避した直後、メインミラー保持枠４１と緩衝材３４およびサブミラー保持枠６１と緩衝材４４が当接したときの環境温度によるバウンド継続時間に応じて、シャッタユニット１５の開時期、すなわち、ＣＣＤ２２１の露光開始時期を制御する。
【００６５】
緩衝材３４および４４は、上記環境温度Ｃによってゴム硬度が変化し、その吸振作用に差が生じ、低温度で吸振作用が減少する傾向にある。緩衝材をミラーの吸振材として適用した従来の一眼レフカメラでは、吸振作用の少ない使用温度範囲の低温度側における吸振状態を基準にしてミラーアップ動作開始後、ミラーがミラーアップ位置で静止するまでの時間を設定し、その設定時間経過後、ＣＣＤの露光を開始するよう制御されていた。しかし、上記緩衝材の吸振効果が常温からカメラ使用温度範囲内の高温では、上記設定時間よりも早くミラーが静止する。従って、上記従来の一眼レフカメラの制御では、常温からカメラ使用温度範囲内の高温では、むだにＣＣＤの露光開始を遅らせることになる。
【００６６】
そこで、本実施形態では、検出された環境温度Ｃを判別し、その判別結果によってシャッタユニット１５の開開始時間を調節することによって、上述した常温から使用温度範囲内でのＣＣＤ２２１の露光開始の遅れを極力なくすように制御する。この制御動作について、図６の撮影シーケンスのフローチャートを用いて説明する。
【００６７】
なお、図６のフローチャートで適用される所定の環境温度Ｃ0 は、カメラの使用許容の環境温度範囲内の温度にて、緩衝材３４および４４のゴム硬度変化にともなう所定の吸振特性を示す温度とする。該所定の温度Ｃ0 以下（使用許容環境温度範囲内での低温側）の状態では、上記緩衝材の吸振特性上、メインミラー１３がミラーアップ位置にて上記緩衝材が当接し、メインミラー１３，サブミラー１４のバウンドが収まるまで第二の所定時間Ｔ2 を必要とする。一方、該所定の温度Ｃ0 以上（但し、使用許容環境温度範囲内の常温側）の状態では、上記緩衝材の吸振特性上、メインミラー１３がミラーアップ位置にて上記緩衝材が当接し、メインミラー１３，サブミラー１４のバウンドが収まるまでに少なくとも第一の所定時間Ｔ1 を必要とする（なお、Ｔ1 ＜Ｔ2 である）。
【００６８】
なお、第一、第二の所定時間Ｔ1 ，Ｔ2 と、所定の温度Ｃ0 は、フラッシュメモリ２４９に記憶しておく。
【００６９】
カメラのパワースイッチ２５７のオン操作によってボディＣＰＵ２２９の制御のもとで図６の撮影シーケンスが実行され、まず、ステップＳ１でカメラの各設定値の初期化がなされる。ステップＳ２にて１ｓｔレリーズ（レリーズスイッチ１段目）オンのチェックを行い、オンが検出された場合，ステップＳ３に進む。ステップＳ３で２ｎｄレリーズ（レリーズスイッチ２段目）オンのチェックを行い、オンが検出された場合，ステップＳ４に進む。
【００７０】
ステップＳ４にて測温センサ２１７の検出出力による環境温度ＣデータがボディＣＰＵ２２９に取り込まれ、環境温度Ｃが所定の温度Ｃ0 以下であるかをチェックする。所定温度Ｃ0 以下であれば、ステップＳ５に進み、所定温度Ｃ0 以上であれば、ステップＳ７に進む。
【００７１】
ステップＳ５，７では、ともにメインミラー駆動機構２１５によるメインミラー１３のミラーアップ位置への駆動が開始される。
【００７２】
その後、ステップＳ６，８に進むが、ステップＳ６では、第一の所定時間Ｔ1 の計時が行われ、ステップＳ８では、時間Ｔ1 よりも長い第二の所定時間Ｔ2 の計時が行われる。
【００７３】
上記所定時間の計時終了後、ステップＳ９に進み、シャッタ駆動機構２１３によりシャッタユニット１５の開動作を開始させ、ＣＣＤ２２１の露光が実行される。すなわち、撮影レンズを透過した被写体光束が開状態にあるシャッタユニット１５を通過し、撮像ユニット３のＣＣＤ２１に受光面（光電変換面）上に結像し、光電気アナログ信号に変換され、被写体像の撮影が行われる。露光終了後、ステップＳ１０にてメインミラー１３をミラーダウン位置に移動させ、ステップＳ１１でＣＣＤ２２１による撮像データを画像データに変換し、記録媒体２４５に記録する。ステップＳ１２にてパワースイッチ２５７のオンオフをチェックし、オフになった場合、本撮影シーケンスを終了するが、オンの場合、ステップＳ２に戻る。
【００７４】
上述したように本実施形態の一眼レフカメラにおいては、メインミラー１３が撮影開始に際してミラーアップ位置に移動した場合、緩衝材３４，４４を配することによって、ミラー装置２のバウンドをより素早く収めてレリーズタイム遅れの少ない撮影を実行することができる。さらに、本実施形態では、ミラーボックス１２内の環境温度Ｃを測定することによって、その測定温度に応じてシャッタユニット１５の駆動を制御し、特に常温以上の環境状態にあるときに無駄なレリーズタイム遅れが生じることがないように制御し、かつ、低温状態にあっても、少なくともミラーのバウンドが消滅するに必要な時間を待ち、露光を開始させるので、撮影画像が蹴られるなどの不具合の発生を防止することができる。また、上述のように無駄なレリーズタイム遅れがなくなることによって高速連写撮影が可能となる。
【００７５】
なお、所定の温度Ｃ0 と、第一、第二の所定時間Ｔ1 ，Ｔ2 は、使用される緩衝材の特性やカメラ性能に負うところがあるので、必要に応じて適宜設定されるべきである。
【００７６】
なお、本発明に係る一眼レフレックスカメラは、上述の実施形態で説明したレンズ交換式のデジタルカメラの形態に限らず、フィルムによる撮影を行う一眼レフレックスカメラや、撮影レンズと本体とが一体となった一眼レフレックスカメラであってもよいことは言うまでもない。また、上記実施形態では、ミラー装置２にはメインミラー１３とサブミラー１４とが設けられているが、上記サブミラー１４を持たないミラー装置を適用したカメラに対しても同様の構成を適用し、同様の効果を奏することができる。
【００７７】
また、本発明は、上述した実施形態に限られるものではなく、特許請求の範囲及び明細書全体から読み取れる発明の要旨或いは思想に反しない範囲で適宜変更可能であり、そのような変更を伴うカメラもまた本発明の技術的範囲に含まれるものである。
【産業上の利用可能性】
【００７８】
本発明による一眼レフレックスカメラ、または、一眼レフレックスカメラのミラー装置は、簡単な構成であって、環境温度によっては無駄になる露光タイミングの遅れをできるだけなくした一眼レフレックスカメラ、または、一眼レフレックスカメラのミラー装置としての利用が可能である。
【図面の簡単な説明】
【００７９】
【図１】本発明の一実施形態に係る一眼レフカメラの主要構成部材を示すブロック構成図である。
【図２】図１の一眼レフレックスカメラのカメラ本体の概略構成を示す縦断面図である。
【図３】図２のカメラ本体のミラーダウン位置状態でのミラー装置を側方から見た図である。
【図４】図２のカメラ本体のミラーアップ位置状態でのミラー装置を側方から見た図である。
【図５】図３のミラーダウン位置状態にあるミラー装置を下方側から見た斜視図である。
【図６】図１の一眼レフカメラにおける撮影シーケンスのフローチャートである。
【符号の説明】
【００８０】
２  …ミラー装置
４  …ファインダユニット（観察光学系）
１３  …メインミラー、
１４  …サブミラー、
１５  …シャッタユニット（露光手段）
３４，４４…緩衝材（緩衝部材）
２２１…ＣＣＤ（撮像素子）
２２９…ボディＣＰＵ（制御手段）
２７１…測温センサ（測温手段）
【図１】
2009276623.tif 000003
【図２】
2009276623.tif 000004
【図３】
2009276623.tif 000005
【図４】
2009276623.tif 000006
【図５】
2009276623.tif 000007
【図６】
2009276623.tif 000008